(57)【要約】【課題】  操作部が設けられている下筐体の外観を一新させることを可能とする。【解決手段】  下筐体１４のキー操作面部１４ａに対して、各キーのキートップが接着されたキーシート５を備えた筐体パネル１を装着すると共に、下筐体１４の背面部に対しては、該背面部に設けられたカメラユニットを露出させるための開口部１３を備えた背面パネル２を装着する。そして、この背面パネル２のネジ孔１２、下筐体１４のネジ孔２０、及び筐体パネル１のネジ孔８を順に介して、ネジ２６により、筐体パネル１及び背面パネル２を下筐体１４にネジ止めすると共に、最後に下筐体１４の背面部に対して電池蓋３を装着する。１本のネジ２６により、下筐体１４に対して筐体パネル１及び背面パネル２を簡単に装着及び取り外し可能となり、操作部を備えた下筐体１４の外観を簡単に一新させることができる。【選択図】  図１
2009290810.tif 000002
【特許請求の範囲】
【請求項１】
筐体の操作面部に設けられた各キーに対応するキートップが設けられたキーシートと、上記キーシートに設けられた各キートップを露出させるための開口部、及び上記筐体に固定を図るための筐体固定部を備えたフレーム部とを備え、上記筐体の操作面部に装着される筐体パネルと、
上記筐体に固定を図るための筐体固定部を備え、該筐体の背面部に装着される背面パネルと
を有する携帯端末装置。
【請求項２】
上記筐体パネルの上記フレーム部に設けられた上記筐体固定部として、上記筐体に設けられた複数の嵌込溝部にそれぞれ嵌込する複数の爪部を有する
請求項１に記載の携帯端末装置。
【請求項３】
上記筐体パネルの上記フレーム部に設けられた上記複数の爪部の強度を、上記筐体に設けられている嵌込溝部の強度よりも低い強度とした
請求項２に記載の携帯端末装置。
【請求項４】
上記筐体パネルの上記フレーム部には、上記筐体固定部としてネジ孔が設けられており、
上記背面パネルには、上記筐体固定部としてネジ孔が設けられており、
上記背面パネルに設けられたネジ孔、及び上記筐体に設けられているネジ孔を順に介して挿入したネジを、上記筐体パネルの上記フレーム部に設けられたネジ孔に螺合させることで、上記筐体パネル及び上記背面パネルを上記筐体に固定する
請求項１から請求項３のうち、いずれか一項に記載の携帯端末装置。
【請求項５】
上記筐体の操作面部の各キーを防水シートで被覆した
請求項１から請求項４のうち、いずれか一項に記載の携帯端末装置。
【請求項６】
上記筐体の操作面部の各キーを被覆する防水シートの、上記筐体パネルのキーシートと相対向する表面部に対して、微細な凹凸を形成するシボ加工を施した
請求項５に記載の携帯端末装置。
【請求項７】
筐体の操作面部に設けられた各キーに対応するキートップが設けられたキーシートと、上記キーシートに設けられた各キートップを露出させるための開口部、及び上記筐体に固定を図るためのネジ孔を備えたフレーム部とを有する筐体パネルを、上記筐体の操作面部に装着し、
上記筐体に固定を図るためのネジ孔を備えた背面パネルを、上記筐体の背面部に装着し、
上記背面パネルのネジ孔、上記筐体に設けられたネジ孔を順に介して挿入したネジを、上記筐体パネルの上記フレーム部に設けられたネジ孔に螺合させることで、上記筐体に対して上記筐体パネル及び上記背面パネルを装着する
パネル装着方法。
【請求項８】
筐体の操作面部に設けられた各キーに対応するキートップが設けられたキーシートと、
上記キーシートに設けられた各キートップを露出させるための開口部、及び上記筐体の操作面部に固定を図るための筐体固定部を備えたフレーム部と
を有する筐体パネル。
【請求項９】
上記フレーム部に設けられた上記筐体固定部として、上記筐体に設けられた複数の嵌込溝部にそれぞれ嵌込する複数の爪部を有する
請求項８に記載の筐体パネル。
【請求項１０】
上記フレーム部に設けられた上記複数の爪部の強度を、上記筐体に設けられている嵌込溝部の強度よりも低い強度とした
請求項９に記載の筐体パネル。
【請求項１１】
上記フレーム部には、上記筐体固定部としてネジ孔が設けられており、
上記筐体に設けられているネジ孔を介して挿入したネジを、上記フレーム部に設けられたネジ孔に螺合させることで、上記キーシート及び上記フレーム部を上記筐体に固定する
請求項８から請求項１０のうち、いずれか一項に記載の筐体パネル。
【発明の詳細な説明】
【技術分野】
【０００１】
本発明は、例えば携帯電話機、ＰＨＳ電話機（PHS：Personal Handyphone System）、ＰＤＡ装置（PDA：Personal Digital Assistant）、携帯ゲーム機、デジタルカメラ装置、ノート型のパーソナルコンピュータ装置等の携帯機器に適用して好適な携帯端末装置、パネル装着方法、及び筐体パネルに関する。
特には、例えば折り畳み型の携帯電話機の下筐体等のように操作部が設けられている筐体の外観を一新させることを可能とした携帯端末装置、パネル装着方法、及び筐体パネルに関する。
【背景技術】
【０００２】
特開２００５−０９４５３３号の公開特許公報に、筐体の一部を構成する筐体面を交換することでデザインを簡単に変更することが可能な折り畳み型の携帯電話機が開示されている。
【０００３】
この携帯電話機の場合、交換（＝着せ替え）を行う平板形状の筐体パネルに対して、該筐体パネルから突出すると共に、ネジ孔を備えた取り付け用脚部を設けている。携帯電話機の筐体側には、筐体パネルの取り付け用脚部を挿入するための脚部挿入孔部が設けられている。そして、筐体に対して筐体パネルを装着する際には、この筐体に設けられた脚部挿入孔部に対して筐体パネルの取り付け用脚部を挿入し、筐体の側面部に設けられたネジ孔からネジを挿入し、筐体パネルの脚部挿入孔部に設けられたネジ孔を介して該筐体パネルを筐体にネジ止めするようになっている。
【０００４】
折り畳み型の携帯電話機の場合、折り畳んだ状態で露出する筐体面にはスイッチ類等が少なく、かつ、この筐体の外観の殆どを占めるため、上記筐体パネルを交換することで、当該携帯電話機のデザインを簡単に変更することができる。
【０００５】
【特許文献１】特開２００５−０９４５３３号公報（第４頁〜第５頁、図１）
【発明の開示】
【発明が解決しようとする課題】
【０００６】
ここで、特許文献１に開示されている携帯電話機は、折り畳んだ状態でも露出する筐体面にはスイッチ類等が少なく、また、この筐体面は携帯電話機の外観の殆どを占めることから、この筐体面を変更することで、携帯電話機のデザインを大きく変えることができるものとしている。このため、特許文献１に開示されている携帯電話機の場合、折り畳んだ状態でも露出する筐体の平面部のみ、平板形状の筐体パネルを交換することで、デザインを変更することが可能となっている。換言すれば、特許文献１に開示されている携帯電話機の場合、筐体パネルを交換することで、デザインが変更される部分は筐体の平面部のみとなっている。
【０００７】
例えば、全体が白一色の携帯電話機の場合、上記折り畳んだ状態でも露出する筐体の平面部のみを、黒色の筐体パネルに交換した後に、この携帯電話機を開操作すると、操作部等の色として、元の筐体の色である白色が露出することとなる。すなわち、この場合、外側は黒色で、内側は白色という、変わったデザインの携帯電話機が形成されることとなる。
【０００８】
外側の筐体パネルの色と、内側の元の筐体の色との組み合わせ方によっては、優れたデザインとなる可能性もあるが、殆どの場合、変わったデザインの携帯電話機が形成されることとなり、ユーザにとって好ましいことではない。
【０００９】
なぜ、筐体の交換可能な部分が平面部のみであったかというと、上述のように携帯電話機のデザインを大きく変更可能であることが、その理由の一つであるが、特に下筐体の場合、十字キーやオンフックキー、オフフックキー等の多数のキーが設けられた操作部が存在するため、この内側部分の筐体の交換が、非常に面倒、かつ、困難であったことが、もう一つの理由である。
【００１０】
このようなことから、特許文献１に開示されている携帯電話機を含め、従来の携帯電話機は、筐体の外側部分のみを交換可能となっており、携帯電話機の外観を一新させるには至らず、外観の変更に関するユーザの満足度も低いものとなっていた。
【００１１】
本発明は、上述の課題に鑑みてなされたものであり、操作部が設けられている筐体の表面部品を簡単に交換可能として、操作部が設けられている筐体の外観を一新させることができるような携帯端末装置、パネル装着方法、及び筐体パネルを提供することを目的とする。
【課題を解決するための手段】
【００１２】
本発明に係る携帯端末装置は、上述の課題を解決するために、
筐体の操作面部に設けられた各キーに対応するキートップが設けられたキーシートと、上記キーシートに設けられた各キートップを露出させるための開口部、及び上記筐体に固定を図るための筐体固定部を備えたフレーム部とを備え、上記筐体の操作面部に装着される筐体パネルと、
上記筐体に固定を図るための筐体固定部を備え、該筐体の背面部に装着される背面パネルと
を有する。
【００１３】
このような携帯端末装置は、筐体の操作面部に設けられた各キーに対応するキートップが設けられたキーシートと、上記キーシートに設けられた各キートップを露出させるための開口部、及び上記筐体に固定を図るための筐体固定部を備えたフレーム部とを備えた筐体パネルを、上記筐体固定部を介して筐体の操作面部に装着するだけで、簡単に筐体の操作面部の外観を変更することができる。また、筐体固定部を介して、背面パネルを筐体の背面部に装着することで、簡単に筐体の背面部の外観を変更することができる。
【発明の効果】
【００１４】
本発明は、操作部が設けられている筐体の表面部品を簡単に交換可能とすることができ、この操作部が設けられている筐体の外観を一新させることができる。
【発明を実施するための最良の形態】
【００１５】
本発明は、折り畳み型の携帯電話機に適用することができる。
【００１６】
［携帯電話機の構成］
この本発明の実施の形態となる携帯電話機は、略長方形状の上筐体の短手方向の一端部、及び上筐体と略々同じ大きさの略長方形状の下筐体の短手方向の一端部をヒンジ部を介して相互に接続することで、上筐体及び下筐体の折り畳み操作及び開操作が可能となっている。
【００１７】
図１に、本発明を適用した実施の形態となる携帯電話機の下筐体に装着されるパネル類を正面から見た図を、また、図２にこの下筐体に装着されるパネル類を背面から見た図を、それぞれ示す。この図１及び図２からわかるように、この実施の形態の携帯電話機の場合、下筐体に対して筐体パネル１、背面パネル２、及び電池蓋３を装着するようになっている。
【００１８】
〔筐体パネルの構成〕
図３に、筐体パネル１を分解した状態で、各部品を正面から見た図を示す。この図３に示すように、筐体パネル１は、例えばＡＢＳ樹脂（Acrylonitrile、Butadiene、Styrene、共重合合成樹脂）等の強化プラスチック部材で形成された、当該筐体パネル１の外枠となるフレーム部４と、十字キー、数字キー、オンフックキー、オフフックキー等の各種キーを備えたキーシート５とを有している。
【００１９】
フレーム部４は、下筐体に対して装着可能な大きさの略長方形状を有しており、当該フレーム部４を下筐体に装着した際にヒンジ部側となる短手辺部４ａに、一対の嵌込爪部６を有している。また、このフレーム部４は、キーシート５に設けられている各キーを露出させるための開口部７と、当該フレーム部４を下筐体にネジ止めするためのネジ孔８を有している。
【００２０】
このネジ孔８は、当該フレーム部４の表面部４ｂに貫通しないように設けられており、該フレーム部４の裏面部側から表面部４ｂ側にかけて、当該フレーム部４の厚みの略２／３程度の長さとなるように設けられている。
【００２１】
このため、このフレーム部４を備えた筐体パネル１を下筐体にネジ止めした際、ネジの頭の部分となる端部に対して反対側の端部は、フレーム部４の厚さ方向の上記２／３程度に位置するようになり、ネジ孔８は勿論のこと、ネジの頭の部分となる端部に対して反対側となる端部も、筐体パネル１の外観上、見えないようになっている。
【００２２】
キーシート５は、例えばウレタンゴム部材等のゴム部材を、上記フレーム部４の外形よりも小さめの略長方形状となるようにシート状に加工すると共に、このシート状としたウレタンゴム部材上に、例えばＡＢＳ樹脂等の強化プラスチック部材で形成された上記十字キー、数字キー、オンフックキー等の各キーを接着剤で貼り付けることで形成されている。
【００２３】
また、このキーシート５には、フレーム部４の上記ネジ孔８に対応する位置にネジ孔用切り欠き部９が設けられており、当該キーシート５をフレーム部４に装着した際に、該フレーム部４のネジ孔８を閉塞しないようになっている。
【００２４】
〔背面パネルの構成〕
背面パネル２は、例えばＡＢＳ樹脂等の強化プラスチック部材で形成されており、図１及び図２に示すように、略長方形状を有する下筐体の略上半分の部分に装着可能な大きさを有している。また、この筐体パネル１は、反ヒンジ部側の辺部２ａに、当該背面パネル２を下筐体に固定するための２つの嵌込爪部１０を有している。
【００２５】
また、この背面パネル２は、反ヒンジ部側の辺部２ａから該反ヒンジ部側に所定分突出するように設けられた突出部１１を有しており、この突出部１１にネジ孔１２が設けられている。背面パネル２と、この突出部１１は、上記ＡＢＳ樹脂等により一体成形されており、当該背面パネル２は、この突出部１１に設けられたネジ孔１２を介して、下筐体にネジ止めされるようになっている。
【００２６】
また、一例ではあるが、この実施の形態の携帯電話機の場合、下筐体の反操作面部側（背面部側）にカメラユニットが設けられている。このカメラユニットは、カメラ部やフラッシュ部等をユニット化したものであり、全体的に楕円形状となるように形成されている。そして、この全体が楕円形状のカメラユニットは、下筐体の背面部から若干突出するように設けられている。このため、背面パネル２には、当該背面パネル２を下筐体に装着した際に、該下筐体に設けられているカメラユニットを露出させるための略楕円形状の開口部１３が設けられている。
【００２７】
〔電池蓋の構成〕
電池蓋３は、例えばＡＢＳ樹脂等の強化プラスチック部材で形成されており、図１及び図２に示すように、略長方形状を有する下筐体の略下半分の部分に装着可能な大きさを有している。また、この電池蓋３のヒンジ部側となる辺部３ａに２つの嵌込爪部１７が設けられている。
【００２８】
一例ではあるが、この実施の形態の携帯電話機の場合、図４に示すように下筐体１４の略下半分の部分にバッテリ１５を装着するためのバッテリ収納部１６が設けられている。電池蓋３は、このバッテリ収納部１６に対してバッテリ１５を装着したうえで、下筐体１４に装着されることで、バッテリ収納部１６に装着されたバッテリ１５を下筐体１４側に押さえ込み、該バッテリ１５の脱落を防止するようになっている。
【００２９】
〔下筐体の構成〕
次に、図５に下筐体１４を正面から見た図を示す。この図５に示すように、下筐体１４のキー操作面部１４ａには、筐体パネル１に設けられている各キーに対応する位置に、該各キーを介して押圧操作されるキードーム１８がそれぞれ設けられている。
【００３０】
この下筐体１４のキー操作面部１４ａに設けられている全てのキードーム１８は、例えばＰＥＴ樹脂（PET：ポリエチレンテレフタレート）等の防水性を有する樹脂部材を薄いシート状に加工することで形成された防水シート１９で被覆されている。この防水シート１９の表面部１９ａ（下筐体１４に貼り付けられた際に露出する面部）には、当該表面部１９ａに微細な凹凸を形成するシボ加工（マット加工）が施されている。
【００３１】
また、この下筐体１４には、右側面部１４ｃの略中央近傍に、キー操作面部１４ａ側から背面部１４ｂ側にかけて連通するネジ孔２０が設けられている。後述するが、このネジ孔２０を介して、図１及び図２に示す筐体パネル１及び背面パネル２が、当該下筐体１４にネジ止めされるようになっている。
【００３２】
〔筐体パネルのフレーム部の爪部と下筐体の嵌込溝部の詳細な構成〕
次に、当該実施の形態の携帯電話機は、筐体パネル１のフレーム部４に設けられている複数の爪部が、下筐体１４に設けられている複数の嵌込溝と嵌込することで、該下筐体１４に対して筐体パネル１が装着されるようになっている。
【００３３】
まず、図６に、筐体パネル１のフレーム部４を裏面側から見た状態の斜視図を示す。この図６からわかるように、フレーム部４には、それぞれ長手方向の辺部である右辺部４ｃ及び左辺部４ｄの各内壁に、所定間隔で複数の爪部２１が設けられている。
【００３４】
なお、この図６は、左辺部４ｄに対して所定間隔で計４つの爪部２１が設けられている例である。また、この図６においては、右辺部４ｃに設けられている各爪部２１が見えない状態であるが、この右辺部４ｃに対しても、上記左辺部４ｄと同様に複数の爪部２１が設けられているものと理解されたい。
【００３５】
図７に、左辺部４ｄに設けられている爪部２１の拡大図を示す。この図７からわかるように、各爪部２１は略Ｌ字形状を有しており、長辺部２１ａが左辺部４ｄの長手方向に沿うように、また、短辺部２１ｂが、フレーム部４の表面部４ｂ方向に沿うように、左辺部４ｄの内壁に設けられている。
【００３６】
次に、図８に、下筐体１４の上ハーフとなるフレーム部分の斜視図を示す。この図８に示すように、下筐体１４の長手方向の側面部である右側面部１４ｂ及び左側面部１４ｃには、上記筐体パネル１のフレーム部４に設けられている各爪部２１に対応する位置に、該各爪部２１が嵌込する嵌込溝部２２が設けられている。
【００３７】
すなわち、この例においては、筐体パネル１のフレーム部４の右辺部４ｃ及び左辺部４ｄには、上述のように、それぞれ４つの爪部２１が設けられている。このため、下筐体１４の右側面部１４ｂには、上記各爪部２１に対応する４つの嵌込溝部２２が設けられており、また、左側面部１４ｃにも上記各爪部２１に対応する４つの嵌込溝部２２が設けられている。
【００３８】
また、理由は後述するが、この下筐体１４に設けられている各嵌込溝部２２は、筐体パネル１のフレーム部４に設けられている各爪部２１の強度よりも高い強度を有するように形成されている。
【００３９】
図９に、下筐体１４の左側面部１４ｃに設けられている嵌込溝部２２の拡大図を示す。この図９からわかるように、各嵌込溝部２２は、筐体パネル１のフレーム部４に設けられている爪部２１の長辺部２１ａの長さよりも、若干広めの開口部である挿入用開口部２２ａと、爪部２１の長辺部２１ａの厚みよりも若干大きめの幅を有し、左側面部１４ｃの長手方向に沿って設けられるスライド溝部２２ｂとを、逆Ｌ字形状に接続した形状を有している。
【００４０】
この嵌込溝部２２の一端部２２ｃは、反キー操作面部側からキー操作面部１４ａ側にかけて徐々に迫り上がるかたちのテーパ加工が施されており、筐体パネル１のフレーム部４に設けられている爪部２１の、当該嵌込溝部２２に対する嵌込を補助するようになっている。
【００４１】
また、この嵌込溝部２２の他端部２２ｄは、図７に示す爪部２１の長辺部２１ａの短辺部２１ｂが接続されている端部に対して反対側となる端部２１ｃが当接するストッパとなっている。そして、筐体パネル１のフレーム部４に設けられている各爪部２１の各端部２１ｃが、下筐体１４の各嵌込溝部２２に設けられている他端部２２ｄにそれぞれ当接することで、下筐体１４に装着された筐体パネル１の位置決めがなされるようになっている。
【００４２】
また、この嵌込溝部２２において、スライド溝部２２ｂを下筐体１４の左側面部１４ｃの長手方向に沿って設けることで、他端部２２ｄ近傍となるスライド溝部２２ｂ上に、当該スライド溝部２２ｂの略１／３程度の長さで、該スライド溝部２２ｂに沿って突出する突出部２２ｅが形成される。この突出部２２ｅは、嵌込溝部２２に嵌込した上記爪部２１の長辺部２１ａを押さえ込むように機能するようになっている。
【００４３】
［筐体パネル及び背面パネルの装着工程］
次に、この実施の形態の携帯電話機の下筐体１４に対する筐体パネル１及び背面パネル２の装着工程を説明する。
【００４４】
まず、下筐体１４に対して筐体パネル１を装着する場合、筐体パネル１のフレーム部４に設けられている各爪部２１の長辺部２１ａが（図６及び図７参照）、下筐体１４に設けられている各嵌込溝部２２の挿入用開口部２２ａ上に位置するように（図８及び図９参照）、下筐体１４に対して筐体パネル１を載置し、この状態で筐体パネル１に対して、下筐体１４の厚さ方向の力を加える。
【００４５】
筐体パネル１に対して、この下筐体１４の厚さ方向の力が加わると、各爪部２１は、テーパ加工が施されている各嵌込溝部２２の一端部に沿って該嵌込溝部２２に挿入される。図１０は、筐体パネル１のフレーム部４に設けられている各爪部２１と、下筐体１４に設けられている各嵌込溝部２２とが嵌込した状態の拡大図を示しているのであるが、各爪部２１が各嵌込溝部２２に挿入された状態で、筐体パネル１に対して、図１０中実線の矢印で示すヒンジ方向の力を加えると、嵌込溝部２２に挿入されている爪部２１の長辺部２１ａが、嵌込溝部２２のスライド溝部２２ｂに沿って移動する。この爪部２１の移動は、該爪部２１の端部２１ｃが、嵌込溝部２２の他端部２２ｄに当接することで停止する。
【００４６】
次に、爪部２１の端部２１ｃが、嵌込溝部２２の他端部２２ｄに当接すると、上述のように、スライド溝部２２ｂに沿って突出する突出部２２ｅにより、当該嵌込溝部２２に挿入された上記爪部２１の長辺部２１ａが押さえ込まれる。これにより、下筐体１４に対して筐体パネル１が固定されることとなる。
【００４７】
次に、図１１に示すように、下筐体１４の背面部の略上半分に背面パネル２を装着する。上述のように、下筐体の背面部には、当該背面部から若干突出するように設けられた楕円形状のカメラユニットが設けられている。このため、背面パネル２を装着する際には、この若干突出したカメラユニットを、楕円形状の開口部１３から露出させるように、下筐体１４の背面部に対して背面パネル２を装着する。
【００４８】
図１２に、背面パネル２が装着された下筐体１４を、当該下筐体１４の略中央から長手方向に沿って切断し、カメラユニット２３部分を、この切断面側から見た状態の斜視図を示す。また、図１３に、このカメラユニット２３部分の切断面を、さらに拡大した斜視図を示す。
【００４９】
この図１２及び図１３からわかるように、背面パネル２の開口部１３の大きさは、カメラユニット２３の大きさよりも若干大きめとなっている。このため、下筐体１４に背面パネル２を装着した場合、背面パネル２の開口部１３からカメラユニットの楕円形状の透明板２４が露出するようになっている。
【００５０】
背面パネル２の開口部１３の内周部１３ａには、該背面パネル２の表面部２ｂ側の開口面積が、裏面部２ｃ側の開口面積よりも若干小さくなるようテーパ加工が施されている。これに対して、カメラユニット２３の透明板２４の外周部２４ａには、当該外周部２４ａを、上記テーパ加工が施された開口部１３の内周部１３ａと略平行とするテーパ加工が施されている。さらに、下筐体１４の背面部には、この楕円形状のカメラユニット２３の外周を取り囲むようにして、楕円形状の壁部２５が設けられており、この壁部２５に対しても、上記テーパ加工が施された開口部１３の内周部１３ａと略平行とするテーパ加工が施されている。
【００５１】
このため、下筐体１４に対して背面パネル２を装着すると、背面パネル２の開口部１３の内周部１３ａと、カメラユニット２３の透明板２４の外周部２４ａとの間に、下筐体１４の背面部に設けられた壁部２５を挟むかたちで、下筐体１４に対して背面パネル２が装着されることとなる。
【００５２】
換言すれば、カメラユニット２３の透明板２４の外周部２４ａと、背面パネル２の開口部１３の内周部１３ａとの間に、壁部２５の略幅分の間隔を空けた状態で、下筐体１４に対して背面パネル２を装着することができる。このため、カメラユニット２３の透明板２４の外周部２４ａに施された上記テーパ加工も手伝って、下筐体１４に対して背面パネル２を楽に装着可能とすることができる。
【００５３】
また、このようにカメラユニット２３の透明板２４の外周部２４ａと、背面パネル２の開口部１３の内周部１３ａとの間に、壁部２５の略幅分の間隔を設けると、この壁部２５と背面パネル２の開口部１３の内周部１３ａとの隙間からゴミ等が進入することが懸念される。
【００５４】
しかし、当該実施の形態の携帯電話機の場合、上述のように、下筐体１４の背面部に設けられた壁部２５、及び背面パネル２の開口部１３の内周部１３ａには、上記テーパ加工がそれぞれ施されている。このため、下筐体１４の背面部に設けられた壁部２５と、背面パネル２の開口部１３の内周部１３ａとは、上記テーパ加工が施された面同士で相対向することで、間に殆ど隙間が無い状態となると共に、壁部２５と開口部１３の内周部１３ａとの間の隙間は、空間に対して斜めに接続されることとなる。従って、壁部２５と背面パネル２の開口部１３の内周部１３ａとの隙間からゴミ等が進入する不都合を強力に防止することが可能となっている。
【００５５】
次に、このようにして下筐体１４に対して筐体パネル１及び背面パネル２を装着すると、図１１に示すように背面パネル２の突出部１１に設けられているネジ孔１２、下筐体１４に設けられているネジ孔２０を順に介するようにネジ２６を挿入し、このネジ２６を、筐体パネル１に設けられているネジ孔８に螺入する。これにより、ネジ２６により、筐体パネル１及び背面パネル２が、下筐体１４に対してネジ止めされることとなる。
【００５６】
最後に、図１及び図２に示した電池蓋３の嵌込爪部１７を、下筐体１４側に設けられた図示しない嵌込部に嵌込させることで、該電池蓋３を下筐体１４に装着し、この装着工程を終了する。
【００５７】
［爪部及び嵌込溝部の強度差］
ここで、当該実施の形態の携帯電話機の場合、上述のように爪部２１の強度よりも、嵌込溝部２２の強度が高くなるように、該爪部２１及び嵌込溝部２２が形成されている。爪部２１と嵌込溝部２２を同等の強度で形成した場合、例えば当該携帯電話機を地面等に落下させたり、筐体パネル１に無理な力が加わった場合に、筐体パネル１の爪部２１よりも、下筐体１４の嵌込溝部２２が破損するおそれがある。そして、嵌込溝部２２が破損すると、下筐体１４側の修理を行うこととなるため、その修理に多額の費用と手間がかかってしまう。
【００５８】
しかし、当該実施の形態の携帯電話機の場合、爪部２１の強度よりも、嵌込溝部２２の強度が高くなるよう形成されているため、当該携帯電話機を地面等に落下させたり、筐体パネル１に無理な力が加わった場合には、嵌込溝部２２よりも先に筐体パネル１の爪部２１が破損する。しかも、当該実施の形態の携帯電話機の場合、上述のように、筐体パネル１を、簡単に装着可能となっている。このため、破損を筐体パネル１側に止めることで下筐体１４の破損を防止することができ、下筐体１４が破損することで、多額の修理費用や手間がかかる不都合を防止可能となっている。
【００５９】
［筐体パネル及び背面パネルの取り外し工程］
次に、このように装着された筐体パネル１等を取り外す場合は、上述と反対の工程となる。すなわち、まず、電池蓋３を下筐体１４から取り外し、これにより、図４に示すように露出するネジ２６を緩めて該ネジ２６を取り外す。
【００６０】
次に、背面パネル２を取り外すと共に、筐体パネル１に対して、図１０中、点線の矢印で示す反ヒンジ部方向にスライドさせる力を加える。この反ヒンジ部方向にスライドさせる力が加わると、筐体パネル１の各爪部２１は、上記テーパ加工が施されている各嵌込溝部２２の一端部２２ｃに乗り上げるかたちで移動し、各爪部２１と各嵌込溝部２２の嵌込が解除される。これにより、下筐体１４から筐体パネル１を取り外すことができる。
【００６１】
［防水シートに施されたシボ加工の機能］
次に、この実施の形態の携帯電話機は、下筐体１４のキー操作面部１４ａに設けられた防水シート１９の表面部１９ａ上に微細な凹凸を形成する「シボ加工（マット加工）」を施すことで、筐体パネル１の装着や取り外しを容易化している。
【００６２】
図１４（ａ）に、筐体パネル１が装着された下筐体１４を、キードーム１８の略中央から切断した状態の断面図を示す。この図１４（ａ）に示すように、ウレタンゴム部材で形成されたキーシート５上には、ＡＢＳ樹脂等で形成された上記各キーのキートップ２７が接着されている。このキーシート５は、ＰＥＴ樹脂等の防水性を有する樹脂部材で形成された防水シート１９の表面部１９ａ上に載置されるようになっている。
【００６３】
また、防水シート１９の、キードーム１８と相対向する箇所には、防水シート１９と共に一体成形された押圧用突出部２８が設けられている。キードーム１８は、フレキシブル基板２９上に形成された各キーのスイッチ３０、及びこのスイッチ３０との間に所定の空隙を保持した状態で該スイッチ３０を覆うように設けられたドーム状の金属バネ３１を、粘着シート３２で被覆することで形成されている。
【００６４】
このようなキードーム１８は、ユーザがキートップ２７を押圧操作すると、この押圧操作による力を、防水シート１９に形成された押圧用突出部２８を介して金属バネ３１に伝達する。上記押圧操作による力が加わると、金属バネ３１は凹んだ状態に変形し、キードーム１８内のスイッチ３０と接触して所定の電気信号が発生する。当該携帯電話機の図示しない制御部は、この金属バネ３１とスイッチ３０とが接触することで発生する所定の電気信号を検出することで、ユーザによるキー操作を検出し、当該操作されたキーに対応する情報処理を実行する。なお、ユーザの押圧操作により変形した金属バネ３１は、ユーザの押圧操作による力が加わらなくなると、元のドーム形状に復帰する。
【００６５】
ここで、図１４（ａ）からわかるように、キートップ２７が設けられているキーシート５と防水シート１９の表面部１９ａとは、該表面部１９ａに施したシボ加工による凹凸を介して、言わば多数の点で接触するようになっている。
【００６６】
防水シート１９の表面部１９ａ上に「シボ加工」を施していない場合、この防水シート１９の表面部１９ａとキーシート５とは略平面で接触することとなり、該両者の接触面積が大きくなるため、摩擦力が大きくなる。また、経年変化等により、防水シート１９の表面部１９ａとキーシート５とが張り付いた状態となるおそれもある。そして、防水シート１９の表面部１９ａとキーシート５とが張り付いた状態となると、下筐体１４からキーシート５を取り外し難くなり、下筐体１４に対する筐体パネル１の着脱に支障を来すおそれがある。
【００６７】
なお、キーシート５と防水シート１９の表面部１９ａとの間に、常時、所定の間隙を形成しておくことで、上記経年変化により、キーシート５と防水シート１９の表面部１９ａとが貼り付いた状態となる不都合を防止可能であるが、この場合、両者間の上記間隙により、キー操作時におけるクリック感が悪くなる問題がある。
【００６８】
しかし、この実施の形態の携帯電話機の場合、上述のように防水シート１９の表面部１９ａ上に施された「シボ加工」により、防水シート１９の表面部１９ａとキーシート５とは、言わば多数の点で接触するようになるため、防水シート１９の表面部１９ａとキーシート５との摩擦力を小さくすることができ、下筐体１４からキーシート５を取り外し易くすることができ、筐体パネル１の交換をスムーズに行うことを可能とすることができる。
【００６９】
また、防水シート１９の表面部１９ａとキーシート５とが接触している面積が少ないため、部材の変質等の経年変化が生じた場合でも、下筐体１４からキーシート５を取り外し易くすることができ、該筐体パネル１の交換をスムーズに行うことを可能とすることができる。
【００７０】
また、このように防水シート１９の表面部１９ａとキーシート５との貼り付きを防止することができるため、この貼り付きを防止するために、防水シート１９の表面部１９ａとキーシート５との間に間隙を設ける必要がなく、この間隙を設けたが故に、キー操作時のクリック感が悪くなる不都合を防止することができる。
【００７１】
〔押圧用突出部の変形例〕
上述の例において、押圧用突出部２８は、防水シート１９と共に一体成形されていることとしたが、この押圧用突出部２８は、図１４（ｂ）に示すように防水シート１９とは別に形成し、該防水シート１９上の各キーに対応する箇所に接着してもよい。或いは、図１４（ｃ）に示すように押圧用突出部２８を金属バネ３１上に設けた状態で、この押圧用突出部２８を金属バネ３１を粘着シート３２で被覆してもよい。なお、押圧用突出部２８を金属バネ３１と共に一体整形してもよい。いずれの場合も、上述と同じ効果を得ることができる。
【００７２】
［実施の形態の効果］
以上の説明から明らかなように、この実施の形態の携帯電話機は、下筐体１４のキー操作面部１４ａに対して、各キーに対応するキートップを備えた筐体パネル１を装着すると共に、下筐体１４の背面部に対しては、該背面部に設けられたカメラユニット２３を露出させるための開口部１３を備えた背面パネル２を装着する。そして、この背面パネル２に設けられたネジ孔１２、下筐体１４に設けられたネジ孔２０、及び筐体パネル１に設けられたネジ孔８を順に介して、ネジ２６により、筐体パネル１及び背面パネル２を下筐体１４にネジ止めすると共に、最後に下筐体１４の背面部に対して電池蓋３を装着する。
【００７３】
また、下筐体１４に装着された筐体パネル１及び背面パネル２を取り外す場合、まず、下筐体１４から電池蓋３を取り外し、次にネジ２６を緩めて取り外す。これにより、ネジ止めされたいた筐体パネル１及び背面パネル２を下筐体１４から簡単に取り外し可能となる。
【００７４】
このような実施の形態の携帯電話機は、１本のネジ２６により、下筐体１４に対して筐体パネル１及び背面パネル２を簡単に装着及び取り外しすることができるため、操作部を備えた下筐体１４全体の表面部品（筐体パネル１、背面パネル２及び電池蓋３）を簡単に交換可能とすることができる。このため、デザインや模様、色彩等の異なる筐体パネル１や背面パネル２等に交換することも簡単に行うことができ、下筐体１４の外観を簡単に一新させることができる。
【００７５】
また、下筐体１４に対して筐体パネル１を装着する場合、筐体パネル１のフレーム部４に設けられている各爪部２１の長辺部２１ａが（図６及び図７参照）、下筐体１４に設けられている各嵌込溝部２２の挿入用開口部２２ａ上に位置するように（図８及び図９参照）、下筐体１４に対して筐体パネル１を載置し、この状態で筐体パネル１に対して、下筐体１４の厚さ方向の力を加える。そして、各爪部２１が各嵌込溝部２２に挿入された状態で、筐体パネル１に対してヒンジ方向の力を加えて、各嵌込溝部２２に挿入されている各爪部２１を完全に嵌込させることで、下筐体１４に対して筐体パネル１を固定する。
【００７６】
この爪部２１及び嵌込溝部２２は、筐体パネル１及び下筐体１４に対して複数設けられている。このため、筐体パネル１及び下筐体１４が多点接続されることとなり、ネジ止めをしなくとも、筐体パネル１及び下筐体１４を強固に接続可能とすることができる。
【００７７】
また、筐体パネル１に設けられている爪部２１の強度よりも、下筐体１４に設けられている嵌込溝部２２の強度が高くなるよう形成されているため、当該携帯電話機を地面等に落下させたり、筐体パネル１に無理な力が加わった場合には、嵌込溝部２２よりも先に筐体パネル１の爪部２１が破損するようになる。このため、破損を筐体パネル１側に止めることで下筐体１４の破損を防止することができ、下筐体１４が破損することで、多額の修理費用や手間がかかる不都合を防止することができる。
【００７８】
また、下筐体１４に背面パネル２を装着する場合、下筐体１４の背面部に設けられたカメラユニット２３の透明板２４の外周部２４ａと、背面パネル２の開口部１３の内周部１３ａとの間に、壁部２５の略幅分の間隔を空けた状態で、下筐体１４に対して背面パネル２を装着するようになっている。このため、カメラユニット２３の透明板２４の外周部２４ａに施された上記テーパ加工も手伝って、下筐体１４に対して背面パネル２を楽に装着可能とすることができる。
【００７９】
また、下筐体１４の背面部に設けられた壁部２５、及び背面パネル２の開口部１３の内周部１３ａには、テーパ加工がそれぞれ施されており、下筐体１４の背面部に設けられた壁部２５と、背面パネル２の開口部１３の内周部１３ａとは、このテーパ加工が施された面同士で相対向することで、間に殆ど隙間が無い状態となる。また、壁部２５と開口部１３の内周部１３ａとの間の隙間は、空間に対して斜めに接続されることとなる。従って、上述のように、背面パネル２を楽に装着可能としたうえで、壁部２５と背面パネル２の開口部１３の内周部１３ａとの隙間からゴミ等が進入する不都合を強力に防止することができる。
【００８０】
また、下筐体１４の各キーが設けられたキー操作面部１４ａを防水シート１９で被覆されているため、筐体パネル１等の着脱時に、各キーの電気部品部分にゴミや水が入る不都合を防止することができる。
【００８１】
また、防水シート１９の表面部１９ａには、微細な凹凸を形成するシボ加工（マット加工）が施されているため、筐体パネル１のキーシート５と防水シート１９の表面部１９ａとの接触部分を、言わば多数の点で接触させて、該接触面積を小さくすることができる。
【００８２】
このため、筐体パネル１のキーシート５と防水シート１９の表面部１９ａとの間の摩擦力を小さくすることができ、筐体パネル１の装着及び取り外しを容易化することができ、筐体パネル１の交換をスムーズに行うことを可能とすることができる。
【００８３】
また、部材の変質等の経年変化等により、筐体パネル１のキーシート５と防水シート１９の表面部１９ａとが貼り付いた状態となった場合でも、両者間の接触面積が小さいことから該両者間の摩擦力を小さくすることができ、筐体パネル１の取り外しを容易化することができる。このため、筐体パネル１の交換をスムーズに行うことを可能とすることができる。
【００８４】
また、防水シート１９の表面部１９ａとキーシート５とを常時接触させた状態とすることで、部材の変質等の経年変化等により、防水シート１９の表面部１９ａとキーシート５とが貼り付いた状態となった場合でも、上述のように筐体パネル１の取り外しを簡単に行うことができるため、この両者の貼り付きを防止するために、該両者を常時離間させておく必要がなく、該両者を常時離間させておくことで、クリック感が悪くなる不都合を防止することができる。
【００８５】
［変形例］
上述の実施の形態の説明では、筐体パネル１及び背面パネル２を、１本のネジ２６により下筐体１４に固定することとしたが、これは、複数本のネジを用いて固定するようにしてもよい。
【００８６】
また、筐体パネル１及び背面パネル２を下筐体１４にネジ止めすることとしたが、筐体パネル１及び背面パネル２に嵌込用爪部を設けると共に、下筐体１４に嵌込溝部を設け、この下筐体１４に設けられた嵌込溝部に対して、筐体パネル１及び背面パネル２に設けられた嵌込用爪部を嵌込させて、両者を下筐体１４に固定してもよい。この場合、ネジ止めの必要がなくなるため、より簡単に筐体パネル１及び背面パネル２の着脱や交換を可能とすることができる。
【００８７】
また、上述の実施の形態の説明では、本発明を折り畳み型の携帯電話機に適用することとしたが、この他、本発明をストレート型（＝スティック型）の携帯電話機に適用してもよい。この場合でも、外観を簡単に変更可能である等の、上述と同様の効果を得ることができる。
【００８８】
また、上述の実施の形態の説明では、本発明を携帯電話機に適用することとしたが、この他、例えばＰＨＳ電話機（PHS：Personal Handyphone System）、ＰＤＡ装置（PDA：Personal Digital Assistant）、携帯ゲーム機、デジタルカメラ装置、ノート型のパーソナルコンピュータ装置等の携帯機器に本発明を適用してもよい。いずれの場合も、上述と同様の効果を得ることができる。
【００８９】
最後に、本発明は、一例として説明した上述の実施の形態に限定されることはなく、本発明に係る技術的思想を逸脱しない範囲であれば、設計等に応じて種々の変更が可能であることは勿論であることを付け加えておく。
【図面の簡単な説明】
【００９０】
【図１】本発明を適用した実施の形態となる携帯電話機の下筐体に装着される筐体パネル、背面パネル及び電池蓋の正面図である。
【図２】実施の形態の携帯電話機の下筐体に装着される筐体パネル、背面パネル及び電池蓋の背面図である。
【図３】筐体パネルを構成するフレーム部及びキーシートの正面図である。
【図４】背面パネルを装着した状態の下筐体の背面図である。
【図５】筐体パネルを取り外した状態の下筐体の正面図である。
【図６】筐体パネルのフレーム部を背面側から見た状態の斜視図である。
【図７】筐体パネルのフレーム部に設けられている爪部の拡大図である。
【図８】下筐体を構成する上ハーフの斜視図である。
【図９】下筐体の両側面部に設けられている嵌込溝部の拡大図である。
【図１０】筐体パネルのフレーム部に設けられている爪部が、下筐体に設けられている嵌込溝部に嵌込した状態を示す拡大図である。
【図１１】実施の形態の携帯電話機における下筐体に対する筐体パネル及び背面パネルの装着工程を説明するための分解斜視図である。
【図１２】背面パネルが装着された下筐体を長手方向に沿って切断した状態の斜視図である。
【図１３】背面パネルが装着された下筐体を長手方向に沿って切断した状態の要部を拡大して示した斜視図である。
【図１４】下筐体のキー操作面部に設けられた防水シートに施されているシボ加工の機能を説明するための図である。
【符号の説明】
【００９１】
１  筐体パネル、２  背面パネル、２ａ  背面パネルの反ヒンジ部側の辺部、２ｂ  背面パネルの表面部、２ｃ  背面パネルの背面部、３  電池蓋、３ａ  電池蓋のヒンジ部側の辺部、４  筐体パネルのフレーム部、４ａ  フレーム部の短手辺部、４ｂ  フレーム部の表面部、５  キーシート、６  嵌込爪部、７  開口部、８  ネジ孔、９  ネジ孔用切り欠き部、１０  背面パネルの嵌込爪部、１１  背面パネルの突出部、１２  突出部に設けられたネジ孔、１３  カメラユニット用の開口部、１３ａ  開口部の内周部、１４  下筐体、１４ａ  下筐体のキー操作面部、１４ｂ  下筐体の右側面部、１４ｃ  下筐体の左側面部、１５  バッテリ、１６  バッテリ収納部、１７  電池蓋の嵌込爪部、１８  キードーム、１９  防水シート、１９ａ  防水シートの表面部、２０  下筐体のネジ孔、２１  フレーム部の爪部、２１ａ  爪部の長辺部、２１ｂ  爪部の短辺部、２１ｃ  爪部の端部、２２  下筐体の嵌込溝部、２２ａ  挿入用開口部、２２ｂ  スライド溝部、２２ｃ  嵌込溝部の一端部、２２ｄ  嵌込溝部の他端部、２２ｅ  突出部、２３  カメラユニット、２４  カメラユニットの透明板、２５  壁部、２６  ネジ、２７  キートップ、２８  押圧用突出部、２９  フレキシブル基板、３０  スイッチ、３１  金属バネ、３２  粘着シート
【図１】
2009290810.tif 000003
【図２】
2009290810.tif 000004
【図３】
2009290810.tif 000005
【図４】
2009290810.tif 000006
【図５】
2009290810.tif 000007
【図６】
2009290810.tif 000008
【図７】
2009290810.tif 000009
【図８】
2009290810.tif 000010
【図９】
2009290810.tif 000011
【図１０】
2009290810.tif 000012
【図１１】
2009290810.tif 000013
【図１２】
2009290810.tif 000014
【図１３】
2009290810.tif 000015
【図１４】
2009290810.tif 000016